(57)【要約】  テレビジョン信号受信機などの装置の表示機能を制御する方法（３００）は、消えた状態にロックされた表示を元に戻すことによって、使用可能な表示が行われることを保証することができる。例示的な実施形態では、この方法（３００）は、装置の電源オン状態を検出するステップ（３３０）と、電源オン状態に応答して、表示機能に関連する少なくとも１つの所定の表示パラメータが、少なくとも１つの所定値を示すかどうかを判定するステップ（３４０）と、前記の少なくとも１つの所定の表示パラメータが前記の少なくとも１つの所定値を示す場合に、前記の少なくとも１つの所定の表示パラメータを調節するステップ（３６０）とを含んでいる。
2008510364.tif 000002
【特許請求の範囲】
【請求項１】
装置の表示機能を制御する方法（３００）であって、
前記装置の電源オン状態を検出するステップ（３３０）と、
前記電源オン状態に応答して、前記表示機能に関連する少なくとも１つの所定の表示パラメータが、少なくとも１つの所定値を示すかどうかを判定するステップ（３４０）と、
前記少なくとも１つの所定の表示パラメータが前記少なくとも１つの所定値を示す場合に、前記少なくとも１つの所定の表示パラメータを調節するステップ（３６０）と、
を含む、前記方法。
【請求項２】
前記装置がテレビジョン信号受信機である、請求項１に記載の方法（３００）。
【請求項３】
前記少なくとも１つの所定の表示パラメータが、コントラストおよび輝度の少なくとも１つを含む、請求項１に記載の方法（３００）。
【請求項４】
前記少なくとも１つの所定の表示パラメータが、前記装置に対するユーザ入力（３１０）に応答して、前記少なくとも１つの所定値を示す、請求項１に記載の方法（３００）。
【請求項５】
前記少なくとも１つの所定値が、所定値の範囲内に含まれる、請求項１に記載の方法（３００）。
【請求項６】
前記少なくとも１つの所定の表示パラメータが前記少なくとも１つの所定値を示す場合に、前記装置が与える表示が使用不能になる、請求項１に記載の方法（３００）。
【請求項７】
表示機能を実行することができる装置（２０）であって、
前記表示機能に関連する少なくとも１つの所定の表示パラメータを表すデータを記憶するメモリ手段（１５）と、
前記装置（２０）が電源オン状態になるのに応答して前記少なくとも１つの所定の表示パラメータが少なくとも１つの所定値を示すかどうかを判定し、前記少なくとも１つの所定の表示パラメータが前記少なくとも１つの所定値を示す場合に、前記少なくとも１つの所定の表示パラメータを調節する処理手段（１４）と、
を含む、前記装置。
【請求項８】
前記装置（２０）がテレビジョン信号受信機である、請求項７に記載の装置（２０）。
【請求項９】
前記少なくとも１つの所定の表示パラメータが、コントラストおよび輝度の少なくとも１つを含む、請求項７に記載の装置（２０）。
【請求項１０】
前記少なくとも１つの所定の表示パラメータが、前記装置（２０）に対するユーザ入力に応答して、前記少なくとも１つの所定値を示す、請求項７に記載の装置（２０）。
【請求項１１】
前記少なくとも１つの所定値が、所定値の範囲内に含まれる、請求項７に記載の装置（２０）。
【請求項１２】
前記少なくとも１つの所定の表示パラメータが前記少なくとも１つの所定値を示す場合に、前記装置（２０）が与える表示が使用不能になる、請求項７に記載の装置（２０）。
【請求項１３】
テレビジョン信号受信機（２０）であって、
表示機能に関連する少なくとも１つの所定の表示パラメータを表すデータを記憶する動作を行うことができるメモリ（１５）と、
前記テレビジョン信号受信機（２０）が電源オン状態になるのに応答して前記少なくとも１つの所定の表示パラメータが少なくとも１つの所定値を示すかどうかを判定し、前記少なくとも１つの所定の表示パラメータが前記少なくとも１つの所定値を示す場合に、前記少なくとも１つの所定の表示パラメータを調節する動作を行うことができるプロセッサ（１４）と、
を含む、前記テレビジョン受信機装置。
【請求項１４】
前記少なくとも１つの所定の表示パラメータが、コントラストおよび輝度の少なくとも１つを含む、請求項１３に記載のテレビジョン信号受信機（２０）。
【請求項１５】
前記少なくとも１つの所定の表示パラメータが、前記テレビジョン信号受信機（２０）に対するユーザ入力に応答して、前記少なくとも１つの所定値を示す、請求項１３に記載のテレビジョン信号受信機（２０）。
【請求項１６】
前記少なくとも１つの所定値が、所定値の範囲内に含まれる、請求項１３に記載のテレビジョン信号受信機（２０）。
【請求項１７】
前記少なくとも１つの所定の表示パラメータが前記少なくとも１つの所定値を示す場合に、前記テレビジョン信号受信機（２０）が与える表示が使用不能になる、請求項１３に記載のテレビジョン信号受信機（２０）。
【発明の詳細な説明】
【技術分野】
【０００１】
本発明は一般に、テレビジョン信号受信機など、表示機能を備えた装置に関する。更に詳細には、本発明は、消えた状態（ｅｘｔｉｎｇｕｓｈｅｄ  ｓｔａｔｅ）にロックされた表示を元に戻すことによって、使用可能な表示が行われることを保証することができる表示機能を制御する方法および装置に関する。
【背景技術】
【０００２】
テレビジョン信号受信機などの装置は、ユーザが見ることができる視覚出力（例えば、映像、文字、静止画像など）を提供する表示機能を有する。多くの場合には、この表示機能に関連するパラメータは、ユーザが制御することができる。例えば、テレビジョン信号受信機などある種の装置では、輝度、コントラスト、色、色合い（ｔｉｎｔ）、鮮鋭度（ｓｈａｒｐｎｅｓｓ：シャープネス）などの様々な表示パラメータを、オンスクリーン表示（ＯＳＤ）メニューを介してユーザが電子制御できるようにしている。一般に、ユーザは、これらの表示パラメータが広い範囲で調節でき、それによって幅広い表示可能性を持つことができることを望んでいる。更に、現在の表示機能用の集積回路（ＩＣ）は、通常は広い範囲で調節を行うことを可能にしている。従って、テレビジョン信号受信機など、現在の表示機能を有する装置では、通常、ユーザは表示パラメータを幅広く調節することができる。
【０００３】
しかし、表示パラメータの調節可能範囲が広いと、ユーザが幾つかの表示パラメータをある値に設定し、それらの表示パラメータを調節し直すことができない場合に、問題が生じる可能性がある。例えば、最大ＯＳＤレベルが５０ＩＲＥ（「ＩＲＥ：Ｉｎｓｔｉｔｕｔｅ  ｏｆ  Ｒａｄｉｏ  Ｅｎｇｉｎｅｅｒｓ：無線技術学会」、輝度値の標準尺度）で輝度範囲が±２０ＩＲＥ、コントラスト範囲が５：１であるディスプレイで、輝度を−２０ＩＲＥ、コントラストを２／５に設定した場合には、ＯＳＤレベルが０ＩＲＥとなり、表示が消える（即ち「ブラックアウト（消失）する」）可能性がある。輝度およびコントラストの範囲が十分に大きい場合には、ユーザは、輝度またはコントラストの何れかのみを調節することによって、表示を消すことができる。表示が消えた場合には、その表示が、基本的にその消えた状態にロックされる状況もある。一度表示が消えた状態にロックされてしまうと、表示パラメータを調節して、表示を消えていない使用可能な状態に戻そうとしても、ユーザがオンスクリーン表示（ＯＳＤ）メニューを見ることができないので、使用不能である。消えた状態に表示をロックしてしまうことは、様々な形式で起こりうる。例えば、表示パラメータ（例えば、コントラストや輝度）を調節するために、ユーザがある装置（例えば、テレビジョン信号受信機）のユーザ入力装置（例えば、遠隔制御装置など）のアップ・キーまたはダウン・キーを押しているうちに表示が消えた状態になってしまい、この状態で誤って別のキー（例えば、クリア、メニュー、左矢印、右矢印など）を押してしまうと、装置がモードを切り替え、それにより表示が消えた状態にロックされてしまう可能性がある。このような場合には、装置のモードが変わってしまっているために、ユーザ入力装置のアップ・キーおよびダウン・キーではこの状況から元に戻すことができないことがある。また、表示が消えた状態になった後、所定時間内に、表示機能を実行している装置がユーザ入力を受信しない場合にも、表示が消えた状態にロックされる可能性がある。この場合には、装置が単純に「タイムアウト」し、表示を消えた状態にロックする可能性がある。これは、例えば幼い子供の場合や、或いは大人でも装置の操作になれていない場合に起きる可能性がある。
【０００４】
前述の問題に対処する１つの手法は、それを押せば装置の全てのパラメータ設定が公称値にリセットされるリセット・キーを、装置またはその遠隔制御装置に設けることである。しかし、この問題解決手法は、リセット・キーを押すことによって、ペアレンタル・コントロール設定など、表示パラメータ以外のユーザ設定もリセットされてしまうので、最適なものではない。このリセット・キーを使用することで、ユーザが装置の全てのパラメータ設定を調節およびリセットしなければならなくなることがあり、これはユーザにとって時間の掛かる面倒な作業となることもあるので、このリセット・キーを使用するときには慎重に行わなければならない。
【発明の開示】
【０００５】
従って、前述の問題に対処し、消えた状態にロックされた表示を元に戻すことによって、使用可能な表示が行われることを保証することができる、テレビジョン信号受信機などの装置の表示機能を制御する方法が必要とされている。本明細書に開示の本発明は、以上の問題またはその他の問題に対処するものである。
【０００６】
本発明の一態様によれば、装置の表示機能を制御する方法が開示される。例示的な実施形態によれば、この方法は、装置の電源オン状態を検出するステップと、電源オン状態に応答して、表示機能に関連する少なくとも１つの所定の表示パラメータが、少なくとも１つの所定値を示すかどうかを判定するステップと、前記の少なくとも１つの所定の表示パラメータが前記の少なくとも１つの所定値を示す場合に、前記の少なくとも１つの所定の表示パラメータを調節するステップとを含んでいる。
【０００７】
本発明の別の態様によれば、表示機能を実行することができる装置が開示される。例示的な実施形態によれば、この装置は、表示機能に関連する少なくとも１つの所定の表示パラメータを表すデータを記憶するメモリ手段を含んでいる。処理手段は、装置が電源オン状態になるのに応答して前記の少なくとも１つの所定の表示パラメータが少なくとも１つの所定値を示すかどうかを判定し、前記の少なくとも１つの所定の表示パラメータが前記の少なくとも１つの所定値を示す場合に、前記の少なくとも１つの所定の表示パラメータを調節する。
【０００８】
本発明の更に別の態様によれば、テレビジョン信号受信機が開示される。例示的な実施形態によれば、このテレビジョン信号受信機は、表示機能に関連する少なくとも１つの所定の表示パラメータを表すデータを記憶する動作を行うことができるメモリを含んでいる。プロセッサは、テレビジョン信号受信機が電源オン状態になるのに応答して前記の少なくとも１つの所定の表示パラメータが少なくとも１つの所定値を示すかどうかを判定し、前記の少なくとも１つの所定の表示パラメータが前記の少なくとも１つの所定値を示す場合に、前記の少なくとも１つの所定の表示パラメータを調節する動作を行うことができる。
【０００９】
本発明の上述その他の特徴および利点、並びにそれらを達成する方法は、以下の本発明の実施形態の説明を添付の図面と併せて参照すれば、より良く理解される。
【発明を実施するための最良の形態】
【００１０】
本明細書に記載の具体例は、本発明の好ましい実施形態を例示するものであり、これらの具体例は、いかなる意味においても本発明の範囲を制限するものとして解釈すべきものではない。
【００１１】
次に、図面、特に図１を参照して、本発明を実施するのに適当な例示的な環境１００について述べる。図１に示すように、環境１００は、ユーザ入力装置１０などのユーザ入力手段と、表示機能を実行する装置２０とを含んでいる。例示的な実施形態によれば、装置２０はテレビジョン信号受信機として実施されるが、これは表示機能を有するものであればいかなる装置または装置として実施することもできる。
【００１２】
ユーザ入力装置１０は、装置２０および／またはその他の装置の動作を制御する制御信号を生成し、出力する動作を行うことができる。例示的な実施形態によれば、ユーザ入力装置１０は複数の入力キーを備え、ユーザが入力キーを押すことに応答して有線および／または無線で（例えば、赤外線（ＩＲ）リンクまたは無線周波数（ＲＦ）リンクなどを介して）制御信号を出力する。ユーザ入力装置１０は、例えば、携帯型遠隔制御装置、有線および／または無線キーボード、装置２０の一体制御パネル、並びに／或いはその他のユーザ入力装置として実施することができる。
【００１３】
装置２０は、アナログ方式および／またはディジタル方式の音声信号、映像信号および／またはデータ信号などの信号を、地上波、ケーブル・テレビ、衛星放送、インターネットおよび／またはその他の信号源など、１つまたは複数の信号源から受信し、それらの受信信号に対応する聴覚（オーディオ）出力および／または視覚（ビジュアル）出力を提供する動作を行うことができる。また、装置２０は、受信信号を処理して、得られた処理済み信号を１つまたは複数のその他の装置に供給し、その他の装置から信号を受信する動作も行うことができる。
【００１４】
更に、装置２０は、表示機能に影響を与える表示パラメータ設定など、装置２０の様々な設定をユーザが調節することを可能にするオンスクリーン表示（ＯＳＤ）メニューを提供する動作も行うことができる。本発明によれば、装置２０の表示機能を制御して、使用可能な表示が行われることを保証する。前述のように、輝度および／またはコントラストなど、ある種の表示パラメータをユーザがある値に調節した場合に、表示が消えた状態にロックされ、そのために使用不能になることがある。一度表示が消えた状態にロックされてしまうと、ユーザは、ＯＳＤメニューを見て、表示パラメータを調節し、表示を消えていない使用可能な状態に戻すことができない。本発明によれば、装置２０は、電源オン状態になるたびに、表示機能に関連する少なくとも１つの所定の表示パラメータ（例えば、輝度、コントラストなど）が少なくとも１つの所定値を示しているかどうかを検出することにより、消えた状態の表示を変更することができる。当該の少なくとも１つの表示パラメータが所定値を示す場合には、装置２０は、当該の少なくとも１つの所定の表示パラメータを自動的に別の値（例えば、公称値）に調節し、それによって表示を消えていない使用可能な状態に戻す。装置２０のこれらの側面に関する更なる詳細については、後述する。
【００１５】
図２を参照すると、本発明の例示的な実施形態による図１に示す装置２０の詳細を示すブロック図が示してある。図２の装置２０は、フロント・パネル組立て構体（ＦＰＡ）１１などのフロント・パネル手段と、増幅器１２などの増幅手段と、Ｉ／Ｏブロック１３などの入出力（Ｉ／Ｏ）手段と、プロセッサ１４などの処理手段と、メモリ１５などのメモリ手段とを含んでいる。図２に示す前述の要素の一部は、ＩＣを用いて実現することができ、一部の要素は、例えば１つまたは複数のＩＣに含めることができる。説明を分かりやすくするために、ある種の制御信号、パワー（電源）信号、および／またはその他の要素など、装置２０に関連するある種の従来の要素は、図２には示していない場合もある。
【００１６】
フロント・パネル組立て構体（ＦＰＡ）１１は、ユーザ入力装置１０からのユーザ入力を受信し、ユーザ入力に対応する信号を増幅器１２に出力する動作を行うことができる。例示的な実施形態によれば、ＦＰＡ１１は、赤外線（ＩＲ）信号および／または無線周波数（ＲＦ）信号などの信号をユーザ入力装置１０から受信し、対応する信号を生成して、この信号が増幅器１２に出力される。増幅器１２は、ＦＰＡ１１から伝送された信号を増幅して、プロセッサ１４に出力する。
【００１７】
Ｉ／Ｏ（入力／出力）ブロック１３は、装置２０のＩ／Ｏ機能を実行する動作を行うことができる。例示的な実施形態によれば、Ｉ／Ｏブロック１３は、アナログ形式および／またはディジタル形式の音声信号、ビデオ信号および／またはデータ信号を、地上波、ケーブル・テレビ、衛星放送、インターネットおよび／またはその他の信号源などの１つまたは複数の信号源から受信する動作を行うことができる。また、Ｉ／Ｏブロック１３は、処理済みの信号を１つまたは複数のその他の装置に出力し、それらの装置から信号を受信する動作を行うこともできる。
【００１８】
プロセッサ１４は、装置２０の様々な信号処理および制御機能を実行する動作を行うことができる。例示的な実施形態によれば、プロセッサ１４は、同調機能、復調機能、順方向誤り訂正機能、および移送処理機能などの機能を実行することによってＩ／Ｏブロック１３から伝送された音声信号、ビデオ信号および／またはデータ信号を処理し、それにより音声コンテンツ、映像コンテンツおよび／またはデータ・コンテンツを表すディジタル・データを生成する。このような処理機能によって生成されたディジタル・データは、更に処理し（例えば、ＭＰＥＧ復号など）、出力することができる。
【００１９】
また、本発明によれば、プロセッサ１４は、ソフトウェア・コードを実行して、装置２０の表示機能を制御する動作も行うことができる。例示的な実施形態では、プロセッサ１４は、装置２０が電源オン状態になるたびに、表示機能に関連する少なくとも１つの所定の表示パラメータ（例えば、輝度、コントラストなど）が、少なくとも１つの所定値を示しているかどうかを検査する。当該の少なくとも１つの所定の表示パラメータが所定値を示す場合には、プロセッサ１４は、自動的に当該の少なくとも１つの所定の表示パラメータを別の値（例えば、公称値）に調節し、それにより、表示が消えていない使用可能な状態になっていることが保証されるようにする。また、プロセッサは、ユーザが装置２０のセットアップおよび制御を行うためのＯＳＤメニューをイネーブルにする、ユーザ入力装置１０を介してユーザ入力を処理する、メモリ１５に対してデータの読み書きを行う、且つ／またはその他の動作を行うなど（ただし、これらに限定されない）、装置２０のその他の機能を実行し、且つ／またはイネーブルにする動作を行うこともできる。
【００２０】
メモリ１５は、装置２０のデータ記憶機能を実行する動作を行うことができる。例示的な実施形態によれば、メモリ１５は、ソフトウェア・コード、ＯＳＤメニュー・データ、ユーザ・セットアップ・データ（例えば、表示パラメータ・データなど）および／またはその他のデータなど（ただし、これらに限定されない）を含むデータを記憶する。
【００２１】
本発明の理解を容易にするために、ここで１つの例を挙げる。図３を参照すると、本発明の例示的な実施形態による方法の各ステップを示す流れ図３００が示してある。例示および説明を目的として、図１および図２に示す環境１００の各要素を参照しながら、図３に示す各ステップについて説明する。図３に示すステップは単なる例示に過ぎず、いかなる意味においても本発明を制限するものではない。
【００２２】
ステップ３１０で、ユーザは、装置２０の表示機能の表示パラメータを設定する。例示的な実施形態によれば、ユーザは、ペアレンタル・コントロール設定および／またはその他の設定などその他の様々な装置２０の設定を行う装置２０のユーザ・セットアップ・プロセスの間に、ステップ３１０で表示機能の表示パラメータを設定することができる。装置２０の表示機能の表示パラメータは、この最初のセットアップ・プロセスの後いつでも、ユーザによって変更またはリセットすることができる。ユーザは、装置２０が示す１つまたは複数のＯＳＤメニューに応答してユーザ入力装置１０を介して装置２０に対して入力を行うことによって、ステップ３１０で表示機能の表示パラメータを設定することができる。例示的な実施形態によれば、ユーザは、輝度、コントラスト、色、色合い、鮮鋭度およびその他のパラメータを含む様々な表示パラメータを、ステップ３１０で設定することができる。更に、ユーザは、本明細書で上述した方法で装置２０の表示を消して使用不能にするような値も含めて、自分が望む任意の許容値に表示パラメータをステップ３１０で設定することができる。
【００２３】
ステップ３２０で、装置２０が電源オフ状態になる。例示的な実施形態によれば、ユーザがユーザ入力装置によって装置２０をオフにすることによって、電源オフ状態にすることができる。また、ステップ３２０において、電源オフ状態は、装置２０が電源から切断される、および／または装置２０が置かれている家が停電になるなど、その他の事象の結果として生じることもある。
【００２４】
ステップ３３０で、装置２０が電源オン状態になる。例示的な実施形態によれば、ユーザがユーザ入力装置１０を介して装置２０をオンにすることによって、電源オン状態にすることができる。また、ステップ３３０において、電源オン状態は、装置２０が電源に接続される、および／または装置２０が置かれている家が停電した後電力が回復するなど、その他の事象の結果として生じることもある。
【００２５】
ステップ３４０で、少なくとも１つの所定の表示パラメータが少なくとも１つの所定値と等しいかどうかが判定される。例示的な実施形態によれば、当該の少なくとも１つの所定の表示パラメータは、コントラストおよび輝度の少なくとも一方を含み、プロセッサ１４は、ステップ３４０において、現在の輝度および／またはコントラストの設定の表示パラメータ・データをメモリ１５から読み取り、表示パラメータ・データを調べることによって、この判定を行う。
【００２６】
例示的な一実施形態によれば、プロセッサ１４は、ステップ３４０において、輝度またはコントラストなどただ１つの表示パラメータのみを調べる。これは、これらの表示パラメータの何れか一方のみが、ある値に設定された場合に表示を消し、使用不能にする可能性があるからである。別の例示的な実施形態によれば、プロセッサ１４は、ステップ３４０において、輝度およびコントラストなど複数の表示パラメータを調べる。これは、ある種の表示パラメータ値の組合せによって、しばしば表示が消え、使用不能状態になるからである。例えば、最大ＯＳＤレベルが５０ＩＲＥ、輝度範囲が±２０ＩＲＥ、コントラスト範囲が５：１であるディスプレイでは、輝度が−２０ＩＲＥに設定され、コントラストが２／５に設定されると、ＯＳＤレベルが０ＩＲＥとなり、表示が消える可能性がある。ステップ３４０で言及する１つまたは複数の所定値は、ある所定値の範囲内に含まれ、且つ／またはパーセンテージまたは百分率で表すことができることに留意されたい。例えば、輝度範囲が±２０ＩＲＥであれば、−１０ＩＲＥ未満（即ち、この範囲の２５％）の任意の値をステップ３４０における所定値と考えることができる。ステップ３４０においてどの値が所定値を表すかを決定するプロセスは、設計上の選択の問題である。例示的な実施形態によれば、当該の少なくとも１つの所定の表示パラメータがステップ３４０において当該の少なくとも１つの所定値を示す場合に、装置２０が与える表示が消え、使用不能状態になる。
【００２７】
ステップ３４０の判定の結果が負である場合には、プロセス・フローはステップ３５０に進み、現在の表示パラメータの調節は行われない。例示的な実施形態では、ステップ３４０における判定の結果が否定である場合には、装置２０が現在与えている表示は消えておらず、使用不能ではない。
【００２８】
或いは、ステップ３４０の判定の結果が正である場合には、プロセス・フローはステップ３６０に進み、当該の少なくとも１つの所定の表示パラメータが調節される。例示的な実施形態によれば、ステップ３４０における判定の結果が肯定である場合には、装置２０が現在与えている表示は消えており、使用不能である。また、例示的な実施形態によれば、プロセッサ１４は、ステップ３６０において、当該の少なくとも１つの所定の表示パラメータを公称値に調節して、装置２０が現在与えている表示を消えていない使用可能な状態に戻す。例えば、輝度範囲が±２０ＩＲＥであり、−１０ＩＲＥ未満の任意の値が所定値と考えられる場合には、−１２ＩＲＥという輝度値がステップ３４０で検出されると、プロセッサ１４はステップ３６０で輝度値を０ＩＲＥに調節することができる。
【００２９】
更に、プロセッサ１４がステップ３４０において所定値と等しいと判定した全ての表示パラメータを、ステップ３６０でプロセッサ１４が調節する必要はない。例示的な実施形態によれば、表示パラメータを１つ調節するだけで、表示を消えていない使用可能な状態に戻すのに十分である可能性があるので、プロセッサ１４は、その値が所定値に等しい表示パラメータのうちただ１つだけを調節すればよい。例えば、ステップ３４０においてコントラストと輝度の両方が所定値を示す場合には、プロセッサ１４は、ステップ３６０でコントラストのみを調節して、表示を復元することができる。例えば、プロセッサ１４は、以下の擬似コードを使用して、この例を実施することもできる。
Ｉｆ  Ｐｏｗｅｒ＿Ｏｎ  ａｎｄ  （（Ｃｏｎｔｒａｓｔ＜１０％）  ａｎｄ  （Ｂｒｉｇｈｔｎｅｓｓ＜２５％））  ｔｈｅｎ  Ｓｅｔ＿Ｃｏｎｔｒａｓｔ（５０％）
従って、ステップ３６０においてプロセッサ１４が表示パラメータ値を調節する具体的な方法および程度は、設計上の選択の問題とすることができる。
【００３０】
本明細書で述べたように、本発明は、消えた状態にロックされた表示を元に戻すことによって、使用可能な表示が行われることを保証することができる表示機能を制御する方法および装置を提供するものである。本発明は、それが表示装置を備えるか否かにかかわらず、表示機能を備える、またはイネーブルする様々なシステム、装置および／或いは機器に適用することができる。従って、本明細書で用いた「テレビジョン信号受信機」という用語は、テレビジョン受像機、コンピュータ、またはモニタなど（ただし、これらに限定されない）、表示装置を備えたシステム、装置または機器、並びにセット・トップ・ボックス（ＳＴＢ）、ビデオ・カセット・レコーダ（ＶＣＲ）、ディジタル多用途ディスク（ＤＶＤ）プレーヤ、テレビ・ゲーム器、パーソナル・ビデオ・レコーダ（ＰＶＲ）、コンピュータまたはその他の装置など、表示装置を備えないこともあるシステム、装置または機器を指す。
【００３１】
好ましい設計を有するものとして本発明について説明したが、本開示の趣旨および範囲内で、本発明を更に変更することもできる。従って、本願は、本発明の一般的原理を用いた任意の変更、用途または改変をその範囲に含むものとする。更に、本願は、当技術分野で既知の、または慣例的な実施態様の範囲に含まれ特許請求の範囲の範囲内である本開示からの逸脱も、その範囲に含むものとする。
【図面の簡単な説明】
【００３２】
【図１】本発明を実施するのに適当な例示的な環境を示す図である。
【図２】本発明の例示的な実施形態による、図１の装置を更に詳細に示すブロック図である。
【図３】本発明の例示的な実施形態による方法の各ステップを例示する流れ図である。
【図１】
2008510364.tif 000003
【図２】
2008510364.tif 000004
【図３】
2008510364.tif 000005
【手続補正書】
【提出日】平成19年7月26日(2007.7.26)
【手続補正１】
【補正対象書類名】特許請求の範囲
【補正対象項目名】全文
【補正方法】変更
【補正の内容】
【特許請求の範囲】
【請求項１】
装置の表示機能を制御する方法であって、
前記装置の電源オン状態を検出するステップと、
前記電源オン状態に応答して、前記表示機能に関連する少なくとも１つの所定の表示パラメータが、少なくとも１つの所定値を示すかどうかを判定するステップと、
前記少なくとも１つの所定の表示パラメータが前記少なくとも１つの所定値を示す場合に、前記少なくとも１つの所定の表示パラメータを調節するステップと、
を含む、前記方法。
【請求項２】
表示機能を実行することができる装置であって、
前記表示機能に関連する少なくとも１つの所定の表示パラメータを表すデータを記憶するメモリ手段と、
前記装置が電源オン状態になるのに応答して前記少なくとも１つの所定の表示パラメータが少なくとも１つの所定値を示すかどうかを判定し、前記少なくとも１つの所定の表示パラメータが前記少なくとも１つの所定値を示す場合に、前記少なくとも１つの所定の表示パラメータを調節する処理手段と、
を含む、前記装置。
【請求項３】
テレビジョン信号受信機であって、
表示機能に関連する少なくとも１つの所定の表示パラメータを表すデータを記憶する動作を行うことができるメモリと、
前記テレビジョン信号受信機が電源オン状態になるのに応答して前記少なくとも１つの所定の表示パラメータが少なくとも１つの所定値を示すかどうかを判定し、前記少なくとも１つの所定の表示パラメータが前記少なくとも１つの所定値を示す場合に、前記少なくとも１つの所定の表示パラメータを調節する動作を行うことができるプロセッサと、
を含む、前記テレビジョン信号受信機。
【国際調査報告】
2008510364.tif 000006
2008510364.tif 000007